(57)【要約】【課題】比較的簡単な構成で、利用者の体型や室内空間に応じてベッド全長を伸縮させることができる介護用ベッドを提供する。【解決手段】長さ方向に延びる左右一対のヘッド側フレーム２１，２１の頭側端部にヘッド側伸縮フレーム２３，２３を長さ方向に進退可能に設ける一方、ヘッド側フレーム２１，２１の脚側端部に接続されたフット側フレーム２２，２２の脚側端部にフット側伸縮フレーム２４，２４を長さ方向に進退可能に設ける。【選択図】図４
2009201889.tif 000002
【特許請求の範囲】
【請求項１】
長さ方向に延びる左右一対のフレームを備えた介護用ベッドであって、
前記フレームにおける頭側端部及び脚側端部のうち少なくとも一方には、その端部から長さ方向に進退可能で且つ進退方向の端部側にボードを固定可能な伸縮フレームが設けられ、
前記伸縮フレームを進退させることで、ベッド全長を調整するようにしたことを特徴とする介護用ベッド。
【請求項２】
請求項１において、
前記フレームにおける頭側及び脚側のうち少なくとも前記伸縮フレームが設けられた側に配設された固定ベッドパネルと、
前記固定ベッドパネルよりも身長方向の外側に配設され、前記固定ベッドパネルの一部と平面視でオーバーラップし且つ該固定ベッドパネルに対して長さ方向に進退可能な伸縮ベッドパネルとを備え、
前記伸縮フレームの進退動作に対応して前記伸縮ベッドパネルを長さ方向に進退させるようにしたことを特徴とする介護用ベッド。
【請求項３】
請求項２において、
前記固定ベッドパネル及び伸縮ベッドパネルのうち一方の幅方向の両端部には、ベッド表面側に膨出し且つ長さ方向に延びる膨出部が形成され、他方の幅方向の両端部には、該膨出部に摺動自在に嵌合され且つ進退動作時に該伸縮ベッドパネルを長さ方向にガイドするガイド部が形成されていることを特徴とする介護用ベッド。
【請求項４】
長さ方向に延びる左右一対のフレームを備えた介護用ベッドであって、
前記フレームの長さ方向の所定位置には、幅方向に進退可能な幅方向伸縮フレームが設けられ、
前記幅方向伸縮フレームを進退させることで、ベッド幅を調整するようにしたことを特徴とする介護用ベッド。
【請求項５】
長さ方向に延びる左右一対のフレームを備えた介護用ベッドであって、
前記フレームにおける頭側端部及び脚側端部のうち少なくとも一方には、その端部から長さ方向に進退可能な伸縮フレームが設けられ、
前記フレームの長さ方向の所定位置には、幅方向に進退可能な幅方向伸縮フレームが設けられ、
前記伸縮フレームを進退させることでベッド全長を調整する一方、前記幅方向伸縮フレームを進退させることでベッド幅を調整するようにしたことを特徴とする介護用ベッド。
【発明の詳細な説明】
【技術分野】
【０００１】
本発明は、一般家庭や病院・施設等で使用する介護用ベッドに関するものである。
【背景技術】
【０００２】
従来より、利用者の体型や室内空間に応じてベッド全長を可変とした伸縮自在ベッドが知られている。例えば、特許文献１には、第１座板を有する本体部と、第２座板を有するスライド部からなり、これら本体部及びスライド部をスライド自在に連結して身長方向への伸び縮みさせることにより、身体を支持する身体支持領域を可変とすることができる、と記載されている。
【０００３】
また、特許文献２には、ヘッドフレーム及びフットフレーム間に伸縮自在な左右一対のフレームを備え、このフレームにおいて、ヘッド側フレームと連結されたインナージョイント及びアウタージョイントに対してフット側フレームを進退させることにより、簡単にベッドの全長を調節することができる、と記載されている。
【特許文献１】特開２００２−２８０５０号公報
【特許文献２】特開２００５−２０４９９２号公報
【発明の開示】
【発明が解決しようとする課題】
【０００４】
しかしながら、従来の伸縮自在なベッドでは、身長方向の略中央位置でスライド部やフレームをスライドさせる構造となっているから、例えば、自力で上半身を起こすことが困難な高齢者や病弱者等が利用する介護用ベッドのように、身長方向の略中央位置で本体部を屈曲させて上半身を背上げする背上げ機構が搭載されたベッドには適用できない等、その伸縮機構を適用できるベッドの構造に制限があるため汎用性のある伸縮機構が望まれていた。
【０００５】
本発明は、かかる点に鑑みてなされたものであり、その目的は、比較的簡単な構成で、利用者の体型や室内空間に応じてベッド全長を伸縮させることができる介護用ベッドを提供することにある。
【課題を解決するための手段】
【０００６】
上述した目的を達成するため、本発明は、フレームの頭側端部及び脚側端部のうち少なくとも一方に、その端部から長さ方向に進退可能な伸縮フレームを設けるようにした。
【０００７】
具体的に、本発明は、長さ方向に延びる左右一対のフレームを備えた介護用ベッドを対象とし、次のような解決手段を講じた。
【０００８】
すなわち、請求項１の発明は、前記フレームにおける頭側端部及び脚側端部のうち少なくとも一方には、その端部から長さ方向に進退可能で且つ進退方向の端部側にボードを固定可能な伸縮フレームが設けられ、
前記伸縮フレームを進退させることで、ベッド全長を調整するようにしたことを特徴とするものである。
【０００９】
請求項２の発明は、請求項１において、
前記フレームにおける頭側及び脚側のうち少なくとも前記伸縮フレームが設けられた側に配設された固定ベッドパネルと、
前記固定ベッドパネルよりも身長方向の外側に配設され、前記固定ベッドパネルの一部と平面視でオーバーラップし且つ該固定ベッドパネルに対して長さ方向に進退可能な伸縮ベッドパネルとを備え、
前記伸縮フレームの進退動作に対応して前記伸縮ベッドパネルを長さ方向に進退させるようにしたことを特徴とするものである。
【００１０】
請求項３の発明は、請求項２において、
前記固定ベッドパネル及び伸縮ベッドパネルのうち一方の幅方向の両端部には、ベッド表面側に膨出し且つ長さ方向に延びる膨出部が形成され、他方の幅方向の両端部には、該膨出部に摺動自在に嵌合され且つ進退動作時に該伸縮ベッドパネルを長さ方向にガイドするガイド部が形成されていることを特徴とするものである。
【００１１】
請求項４の発明は、長さ方向に延びる左右一対のフレームを備えた介護用ベッドを対象とし、
前記フレームの長さ方向の所定位置には、幅方向に進退可能な幅方向伸縮フレームが設けられ、
前記幅方向伸縮フレームを進退させることで、ベッド幅を調整するようにしたことを特徴とするものである。
【００１２】
請求項５の発明は、長さ方向に延びる左右一対のフレームを備えた介護用ベッドを対象とし、
前記フレームにおける頭側端部及び脚側端部のうち少なくとも一方には、その端部から長さ方向に進退可能な伸縮フレームが設けられ、
前記フレームの長さ方向の所定位置には、幅方向に進退可能な幅方向伸縮フレームが設けられ、
前記伸縮フレームを進退させることでベッド全長を調整する一方、前記幅方向伸縮フレームを進退させることでベッド幅を調整するようにしたことを特徴とするものである。
【発明の効果】
【００１３】
請求項１に係る発明によれば、フレームにおける頭側端部及び脚側端部のうち少なくとも一方に、その端部から長さ方向に進退可能で且つ進退方向の端部側にボードを固定可能な伸縮フレームを設けたから、伸縮フレームを進退させるだけでベッド全長を調整することができる。
【００１４】
具体的に、従来の伸縮自在なベッドでは、フレームを長さ方向の略中央位置で分割し、これら分割したフレームを相対的に進退させることでベッド全長を調整する構造となっているから、例えば、自力で上半身を起こすことが困難な高齢者や病弱者等が利用する介護用ベッドのように、身長方向の略中央位置で上半身を背上げする背上げ機構が搭載されたベッドには適用できない等、その伸縮機構を適用できるベッドの構造に制限があった。すなわち、座高が高いか低いかにかかわらず、一律にベッド全長を調整することしかできず、背上げ機構と利用者の上半身との位置関係がずれてしまうため、背上げ時に違和感を覚えるおそれがあった。
【００１５】
しかしながら、本発明では、フレームの頭側端部及び脚側端部の少なくとも一方に伸縮フレームを設けるようにしているから、ベッドの略中央位置に背上げ機構を搭載したとしても、座高が高い利用者の場合には、頭側の伸縮フレームを伸ばしてヘッドボードを移動させることで背上げ機構と上半身との位置関係を良好に保ちながら、上半身側の就寝スペースを広くして就寝することができる。一方、座高が低い利用者の場合には、脚側の伸縮フレームを伸ばしてフットボードを移動させることで背上げ機構と上半身との位置関係を良好に保ちながら、下半身側の就寝スペースを広くして就寝することができる。なお、頭側及び脚側の伸縮フレームを両方とも伸ばしてベッド全長をさらに広く確保することも可能である。
【００１６】
請求項２に係る発明によれば、固定ベッドパネルと、固定ベッドパネルの一部と平面視でオーバーラップし且つ固定ベッドパネルに対して長さ方向に進退可能な伸縮ベッドパネルとを設けたから、伸縮フレームの進退動作によって生じるベッド表面の隙間を、伸縮ベッドパネルを長さ方向に進退させることで塞ぐことができ、ベッドパネル上に敷くマットレス等をベッドパネル全体で均一に支持して荷重を分散させることができる。
【００１７】
請求項３の発明は、固定ベッドパネル及び伸縮ベッドパネルのうち一方の幅方向の両端部に膨出部を形成し、他方の幅方向の両端部に膨出部に摺動自在に嵌合されるガイド部を形成したから、伸縮ベッドパネルを長さ方向に膨出部に沿って移動させるだけでスムーズに進退させることができる。
【００１８】
請求項４に係る発明によれば、フレームの長さ方向の所定位置に、幅方向に進退可能な幅方向伸縮フレームを設けたから、幅方向伸縮フレームを進退させるだけでベッド幅を調整することができる。このため、肩幅方向を広くして就寝したいという利用者の要求に答えることができる。
【００１９】
請求項５に係る発明によれば、フレームにおける頭側端部及び脚側端部のうち少なくとも一方に、その端部から長さ方向に進退可能な伸縮フレームを設け、さらに、フレームの長さ方向の所定位置に、幅方向に進退可能な幅方向伸縮フレームを設けたから、伸縮フレーム及び幅方向伸縮フレームをそれぞれ進退させるだけでベッド全長及びベッド幅を調整することができる。
【発明を実施するための最良の形態】
【００２０】
以下、本発明の実施形態を図面に基づいて説明する。なお、以下の好ましい実施形態の説明は、本質的に例示に過ぎず、本発明、その適用物或いはその用途を制限することを意図するものではない。
【００２１】
図１は、本発明の実施形態に係る介護用ベッドの構成を示す斜視図、図２は平面図、図３は側面図、図４は本体フレームの構成を示す平面図、図５は側面図である。図１〜図５に示すように、この介護用ベッド１０は、本体フレーム２０と、本体フレーム２０に載置されたベッドパネル４０と、本体フレーム２０の頭側に配設されたヘッドボード１１と、脚側に配設されたフットボード１２と、本体フレーム２０の下部で身長方向に間隔をあけて配設された一対のベッド支持脚１５，１５とを備えている。
【００２２】
前記本体フレーム２０は、角パイプ製の複数本のフレームを組み立てて構成したものであり、長さ方向に延びる左右一対のヘッド側フレーム２１，２１と、ヘッド側フレーム２１，２１の脚側端部に接続されて長さ方向に延びる左右一対のフット側フレーム２２，２２と、ヘッド側フレーム２１の頭側端部から長さ方向に進退可能に設けられたヘッド側伸縮フレーム２３と、フット側フレーム２２の脚側端部から長さ方向に進退可能に設けられたフット側伸縮フレーム２４とを備えている。
【００２３】
また、前記ヘッド側フレーム２１側には、腰部側が回動軸２５ａにより最小角度から最大角度まで回動可能に取り付けられて背上げを行う角パイプ製の背上げフレーム２５が設けられている。この背上げフレーム２５の背上げ動作については後述する。さらに、ヘッド側フレーム２１の長さ方向両端部には、ヘッド側フレーム２１，２１同士を連結する連結フレーム２１ａ，２１ａが設けられている。
【００２４】
一方、前記フット側フレーム２２側には、腰部側が回動軸２６ａを介して回動可能に取り付けられて、図６に示すように背上げ動作時に連動して脚の付け根側の大腿部のみを支え上げる角パイプ製の大腿部支え上げフレーム２６が設けられている。この大腿部支え上げフレーム２６の支え上げ動作については後述する。
【００２５】
さらに、前記フット側フレーム２２上には、長さ方向に間隔をあけて幅方向に延びる３本の補強フレーム２７が配設されている。これら３本の補強フレーム２７のうち脚側寄りに配設された２本の補強フレーム２７，２７の幅方向両端部には、上方に開口した手すり取付部２８が設けられている。この手すり取付部２８は、長さ方向に延び両端が下方に折り曲げられた手すり（図示せず）の両端部を嵌合させて取り付けるためのものである。また、この手すり取付部２８は、背上げフレーム２５の左右一対のフレームにも長さ方向に間隔をあけて設けられている。
【００２６】
前記ヘッド側伸縮フレーム２３は、ヘッド側フレーム２１の頭側端部から長さ方向に進退可能に設けられている。具体的に、このヘッド側伸縮フレーム２３は、ヘッド側フレーム２１の幅方向内側に取り付けられ、頭側に延びる途中で幅方向外方に屈曲し、さらに頭側に延びた角パイプ製のフレームで構成されている。また、その頭側端面にはフランジ部２３ａが設けられ、このフランジ部２３ａにヘッドボード１１が取り付けられている。これにより、ヘッド側伸縮フレーム２３の進退動作に連動してヘッドボード１１が長さ方向に進退するようになっている。
【００２７】
また、前記ヘッド側伸縮フレーム２３の脚側端部には、ヘッド側フレーム２１に貫通する貫通孔２３ｂが長さ方向に間隔をあけて２つ形成されている。一方、ヘッド側フレーム２１には、貫通孔２３ｂに対応した取付孔２１ｂが１つ形成されている。すなわち、ヘッド側伸縮フレーム２３を進退させて脚側寄りの貫通孔２３ｂを取付孔２１ｂに対応させ、締結ボルト２９でヘッド側フレーム２１及びヘッド側伸縮フレーム２３を締結すると、図４に示すように、ベッド全長を伸ばした状態となる。一方、ヘッド側伸縮フレーム２３を進退させて頭側寄りの貫通孔２３ｂを取付孔２１ｂに対応させ、締結ボルト２９でヘッド側フレーム２１及びヘッド側伸縮フレーム２３を締結すると、ベッド全長を縮めた状態となる。
【００２８】
前記フット側伸縮フレーム２４は、フット側フレーム２２の脚側端部から長さ方向に進退可能に設けられている。具体的に、このフット側伸縮フレーム２４は、フット側フレーム２２の幅方向内側に取り付けられて脚側に延びた角パイプ製のフレームで構成されている。また、その脚側端面にはフランジ部２４ａが設けられ、このフランジ部２４ａにフットボード１２が取り付けられている。これにより、フット側伸縮フレーム２４の進退動作に連動してフットボード１２が長さ方向に進退するようになっている。
【００２９】
また、前記フット側伸縮フレーム２４の頭側端部には、フット側フレーム２２に貫通する貫通孔２４ｂが長さ方向に間隔をあけて２つ形成されている。一方、フット側フレーム２２には、貫通孔２４ｂに対応した取付孔２２ｂが１つ形成されている。すなわち、フット側伸縮フレーム２４を進退させて頭側寄りの貫通孔２４ｂを取付孔２２ｂに対応させ、締結ボルト２９でフット側フレーム２２及びフット側伸縮フレーム２４を締結すると、ベッド全長を伸ばした状態となる。一方、フット側伸縮フレーム２４を進退させて脚側寄りの貫通孔２４ｂを取付孔２２ｂに対応させ、締結ボルト２９でフット側フレーム２２及びフット側伸縮フレーム２４を締結すると、図４に示すように、ベッド全長を縮めた状態となる。
【００３０】
このように、前記ヘッド側フレーム２１の頭側端部にヘッド側伸縮フレーム２３を設けるとともに、フット側フレーム２２の脚側端部にフット側伸縮フレーム２４を設け、その端部から長さ方向に進退可能としたから、ヘッド側伸縮フレーム２３及びフット側伸縮フレーム２４を進退させるだけでベッド全長を調整することができる。
【００３１】
具体的に、従来の伸縮自在なベッドでは、フレームを長さ方向の略中央位置で分割し、これら分割したフレームを相対的に進退させることでベッド全長を調整する構造となっているから、例えば、自力で上半身を起こすことが困難な高齢者や病弱者等が利用する介護用ベッドのように、身長方向の略中央位置で上半身を背上げする背上げ機構が搭載されたベッドには適用できない等、その伸縮機構を適用できるベッドの構造に制限があった。すなわち、座高が高いか低いかにかかわらず、一律にベッド全長を調整することしかできず、背上げ機構と利用者の上半身との位置関係がずれてしまうため、背上げ時に違和感を覚えるおそれがあった。
【００３２】
しかしながら、本発明では、ベッドの略中央位置に背上げ機構を搭載したとしても、座高が高い利用者の場合には、ヘッド側伸縮フレーム２３を伸ばすことで背上げ機構と上半身との位置関係を良好に保ちながら、上半身側の就寝スペースを広くして就寝することができる。一方、座高が低い利用者の場合には、フット側伸縮フレーム２４を伸ばすことで背上げ機構と上半身との位置関係を良好に保ちながら、下半身側の就寝スペースを広くして就寝することができる。なお、ヘッド側伸縮フレーム２３及びフット側伸縮フレーム２４を両方とも伸ばしてベッド全長をさらに広く確保することも可能である。
【００３３】
なお、本実施形態では、ヘッド側伸縮フレーム２３及びフット側伸縮フレーム２４を設けて、頭側及び脚側の両方に対して進退可能にしてベッド全長を調節するようにしたが、何れか一方にのみ伸縮フレームを設けた構成としても良い。
【００３４】
ここで、前記背上げフレーム２５や大腿部支え上げフレーム２６及びその他の本体フレーム２０上には、背上げフレーム２５や大腿部支え上げフレーム２６の動作に支障をきたさないように樹脂製等のベッドパネル４０が載置され、その上にベッドマットレス（図示せず）が載置される。
【００３５】
前記ベッドパネル４０は、図１及び図２に示すように、長さ方向に配置された６枚のパネルで構成されている。具体的に、ヘッド側フレーム２１上（より正確には背上げフレーム２５上）には、２枚のヘッド側ベッドパネル４１，４２が載置固定されており、これらヘッド側ベッドパネル４１，４２は背上げフレーム２５とともに背上げされる。また、フット側フレーム２２上には３枚のフット側ベッドパネル４３〜４５が載置固定されている。さらに、大腿部支え上げフレーム２６上には、中間ベッドパネル４６が載置固定されており、この中間ベッドパネル４６は大腿部支え上げフレーム２６とともに支え上げられる。
【００３６】
しかしながら、前記ヘッド側伸縮フレーム２３及びフット側伸縮フレーム２４を進退動作させると、本体フレーム２０に載置したベッドパネル４０とヘッドボード１１及びフットボード１２との間に隙間が生じてしまう。そこで、本発明では、ベッドパネル４０についても長さ方向に進退可能な構成とし、ベッド表面の隙間を塞ぐことができるようにした。
【００３７】
図７はヘッド側ベッドパネルの構成を示す平面図、図８は側面図である。また、図９はヘッド側ベッドパネルを伸ばした状態を示す平面図、図１０は側面図である。図７〜図１０に示すように、ヘッド側ベッドパネル４１，４２のうち脚側に配設されているヘッド側ベッドパネル４２（固定ベッドパネル）は、マットレス等を敷くための平面部４２ａと、平面部４２ａの幅方向両端でベッド表面側に膨出し且つ長さ方向に延びる膨出部４２ｂとを備えている。
【００３８】
前記ヘッド側ベッドパネル４２の平面部４２ａには、長さ方向に延びる長孔４８が幅方向に間隔をあけて複数形成されており、パネルの軽量化に寄与している。そして、平面部４２ａの頭側の端縁には、平面部４２ａに連続して一段下がった段差部４２ｃが形成されている。この段差部４２ｃの段差は、段差部４２ｃにヘッド側ベッドパネル４１の平面部４１ａを重ね合わせたときに、ヘッド側ベッドパネル４１，４２の表面が略平坦となるように設定されている。また、平面部４２ａと段差部４２ｃとの境界位置には、幅方向全域にわたって凹溝５０が形成されている。さらに、段差部４２ｃには、凹溝５０から頭側に間隔をあけて同様の凹溝５０が形成されている。また、前記段差部４２ｃには、幅方向に間隔をあけて固定孔５１が２つ設けられている。
【００３９】
前記ヘッド側ベッドパネル４２の膨出部４２ｂには、背上げフレーム２５の手すり取付部２８に対応して挿通孔４９が設けられ、この挿通孔４９を挿通して手すり（図示せず）を手すり取付部２８に取り付けることができるようになっている。また、膨出部４２ｂの頭側端縁には、膨出部４２ｂに連続してその外径が若干小さい縮径部４２ｄが形成されている。
【００４０】
また、前記ヘッド側ベッドパネル４１，４２のうち頭側に配設されているヘッド側ベッドパネル４１（伸縮ベッドパネル）は、マットレス等を敷くための平面部４１ａと、平面部４１ａの幅方向両端でベッド表面側に膨出し且つ長さ方向に延び、脚側のヘッド側ベッドパネル４２の膨出部４２ｂに連続する縮径部４２ｄに摺動自在で嵌合されるガイド部４１ｂとを備えている。
【００４１】
前記ヘッド側ベッドパネル４１の平面部４１ａには、長さ方向に延びる長孔４８が幅方向に間隔をあけて複数形成されており、パネルの軽量化に寄与している。そして、図１１に示すように、平面部４１ａの脚側端縁には、幅方向全域にわたってパネル裏側面に突出する係止爪５５が設けられている。この係止爪５５は、ヘッド側ベッドパネル４２の凹溝５０に嵌め込んでヘッド側ベッドパネル４１を係止するためのものであり、ヘッド側ベッドパネル４１の長さ方向の位置が規制される。
【００４２】
また、図１２にも示すように、前記平面部４１ａは、ヘッド側ベッドパネル４２の段差部４２ｃと平面視でオーバーラップしており、ヘッド側ベッドパネル４１を長さ方向に進退させても、ヘッド側ベッドパネル４１，４２の間に隙間が生じないようになっている。
【００４３】
また、前記ガイド部４１ｂには、背上げフレーム２５の手すり取付部２８に対応して、長さ方向に間隔をあけて挿通孔４９が設けられ、この挿通孔４９を挿通して手すり（図示せず）を手すり取付部２８に取り付けることができるようになっている。このように、挿通孔４９を長さ方向に２つ設けることで、ヘッド側ベッドパネル４１を進退させたときに、ベッドパネル４０の全長を伸ばした状態や縮めた状態のどちらの場合においても、挿通孔４９から手すり取付部２８が臨めるようになっている。
【００４４】
さらに、図１１に示すように、平面部４１ａの脚側端部には、ヘッド側ベッドパネル４２の固定孔５１に対応してパネル裏面側に突出し且つ先端が脚側に向かって延びる固定爪５６が設けられている。この固定爪５６は、ヘッド側ベッドパネル４２の固定孔５１に挿通してその先端部を段差部４２ｃの裏面に係止させ、ベッド全長を縮めた状態でヘッド側ベッドパネル４１を固定するためのものであり、ヘッド側ベッドパネル４１の長さ方向の位置が規制されるとともに、ヘッド側ベッドパネル４１，４２を互いに係合させて外れないようにしている。
【００４５】
一方、ベッド全長を伸ばした状態では、固定爪５６は、ヘッド側ベッドパネル４２の段差部４２ｃの頭側端縁に係合され、ヘッド側ベッドパネル４１，４２が互いに外れないようにしている。
【００４６】
また、前記平面部４１ａには、固定爪５６に対応する位置に視認孔５２が形成されており、固定爪５６が固定孔５１に挿通したかを視認孔５２を介して確認できるようになっている。
【００４７】
前記ヘッド側ベッドパネル４１，４２をこのような構成とすれば、ヘッド側伸縮フレーム２３の進退動作によって生じるベッド表面の隙間を、ヘッド側ベッドパネル４１を長さ方向に進退させることで塞ぐことができ、ベッドパネル４０上に敷くマットレス等をベッドパネル４０全体で均一に支持して荷重を分散させることができる。
【００４８】
また、前記ヘッド側ベッドパネル４１の幅方向両端にガイド部４１ｂを設けたから、ガイド部４１ｂを膨出部４２ｂの縮径部４２ｄに沿って移動させるだけでヘッド側ベッドパネル４１をスムーズに進退させることができる。
【００４９】
なお、前記フット側ベッドパネル４２〜４５のうち、脚側寄りに配設されているフット側ベッドパネル４４，４５を、ヘッド側ベッドパネル４１，４２と同様に長さ方向に進退可能とした構成については、ヘッド側ベッドパネル４１，４２と基本的には同じであるため、説明を省略する。なお、フット側ベッドパネル４５を進退させる構成とせずにその位置を固定としても構わない。
【００５０】
以上のように、本発明の実施形態に係る介護用ベッド１０によれば、ヘッド側フレーム２１の頭側端部にヘッド側伸縮フレーム２３を設けるとともに、フット側フレーム２２の脚側端部にフット側伸縮フレーム２４を設け、その端部から長さ方向に進退可能としたから、ヘッド側伸縮フレーム２３及びフット側伸縮フレーム２４を進退させるだけでベッド全長を調整することができる。そのため、ベッドの略中央位置に背上げ機構を搭載したとしても、座高が高い利用者の場合には、頭側の伸縮フレームを伸ばすことで、背上げ機構と上半身との位置関係を良好に保ちながら、上半身側の就寝スペースを広くして就寝することができる。一方、座高が低い利用者の場合には、脚側の伸縮フレームを伸ばすことで、背上げ機構と上半身との位置関係を良好に保ちながら、下半身側の就寝スペースを広くして就寝することができる。
【００５１】
さらに、前記ヘッド側ベッドパネル４２を進退可能に形成することで、ヘッド側伸縮フレーム２３の進退動作によって生じるベッド表面の隙間を、ヘッド側ベッドパネル４２を長さ方向に進退させることで塞ぐことができ、ベッドパネル上に敷くマットレス等をベッドパネル４０全体で均一に支持して荷重を分散させることができる。
【００５２】
＜背上げフレーム及び大腿部支え上げフレームの駆動機構＞
次に、背上げフレーム２５を駆動するための機構について、図５及び図６を用いて説明する。図５及び図６に示すように、この背上げフレーム駆動機構は、背上げフレーム２５の回動軸２５ａ側の中央部に設けられた背上げ駆動ブラケット６１と、この背上げ駆動ブラケット６１に駆動源としてのモータ６２からの駆動力を伝達する機構として軸方向に進退駆動されるリニアアクチュエータ６３とを備えている。
【００５３】
前記モータ６２は、図示しないリモコンによる操作で駆動制御されるようになっている。背上げ駆動ブラケット６１には、背上げフレーム２５の回動軸２５ａ近傍の下面に当接して、モータ６２によりリニアアクチュエータ６３を介して駆動される背上げ駆動ブラケット６１の駆動力を背上げフレーム２５に伝達する駆動フレーム（図示せず）が一体に固定されている。
【００５４】
次に、大腿部支え上げフレーム２６を駆動するための機構について説明する。図５及び図６に示すように、大腿部支え上げフレーム駆動機構は、一端側が背上げ駆動ブラケット６１にピン結合等により回動自在に取り付けられ、他端側が大腿部支え上げフレーム２６の下面側中央部に設けられたローラ６４に当接する大腿部支え上げフレーム駆動ロッド６５と、下端側が本体フレーム２０側から下方に突設された突出片６６にピン結合等により回動自在に取り付けられ、上端側が大腿部支え上げフレーム駆動ロッド６５の略中央部にピン結合等により回動自在に取り付けられたロッド支持プレート６７とを備えている。
【００５５】
次に、このように構成された背上げ機構付きの介護用ベッド１０の背上げ動作及び大腿部支え上げ動作について説明する。まず、背上げ動作時には、利用者本人やその介護者がリモコンを操作して、モータ６２をリニアアクチュエータ６３が縮む方向に作動させると、リニアアクチュエータ６３の先端が連結された背上げ駆動ブラケット６１が図５の反時計回りの回動方向で下がる方向に動き、背上げフレーム２６が上がる方向に動く。この動きに連動して、大腿部支え上げフレーム駆動ロッド６５が引っ張られて、その略中央部に上端側が回動自在に取り付けられたロッド支持プレート６７が下端側の固定回動軸を中心に時計回りの回動方向で上がる方向に動き、図６に示す背上げ状態となる。この背上げ状態から逆に背下げを行うときは逆の動作を行えばよい。
【００５６】
＜その他の実施形態＞
前記実施形態では、ヘッド側フレーム２１の頭側端部にヘッド側伸縮フレーム２３を進退可能に設け、フット側フレーム２２の脚側端部にフット側伸縮フレーム２４を進退可能に設け、ヘッド側伸縮フレーム２３及びフット側伸縮フレーム２４をそれぞれ長さ方向に進退させることでベッド全長を調整するようにしたが、この他にも、このような伸縮機構を応用して、ヘッド側フレーム２１及びフット側フレーム２２の長さ方向の所定位置に、幅方向に進退可能な幅方向伸縮フレームを設け、幅方向伸縮フレームを進退させることで、ベッド幅を調整するようにしてもよい。このようにすれば、肩幅方向を広くして就寝したいという利用者の要求に答えることができる。
【産業上の利用可能性】
【００５７】
以上説明したように、本発明は、比較的簡単な構成で、利用者の体型や室内空間に応じてベッド全長を伸縮させることができる介護用ベッドを提供することができるという実用性の高い効果が得られることから、きわめて有用で産業上の利用可能性は高い。
【図面の簡単な説明】
【００５８】
【図１】本発明の実施形態に係る介護用ベッドの構成を示す斜視図である。
【図２】介護用ベッドの構成を示す平面図である。
【図３】介護用ベッドの構成を示す側面図である。
【図４】本体フレームの構成を示す平面図である。
【図５】本体フレームの構成を示す側面図である。
【図６】背上げ状態を示す側面図である。
【図７】ヘッド側ベッドパネルの構成を示す平面図である。
【図８】ヘッド側ベッドパネルの構成を示す側面図である。
【図９】ヘッド側ベッドパネルを伸ばした状態を示す平面図である。
【図１０】ヘッド側ベッドパネルを伸ばした状態を示す側面図である。
【図１１】（ａ）は図７のＡ−Ａ矢視断面図であり、（ｂ）は図９のＣ−Ｃ矢視断面図である。
【図１２】（ａ）は図７のＢ−Ｂ矢視断面図であり、（ｂ）は図９のＤ−Ｄ矢視断面図である。
【符号の説明】
【００５９】
１０    介護用ベッド
１１    ヘッドボード
１２    フットボード
２１    ヘッド側フレーム
２２    フット側フレーム
２３    ヘッド側伸縮フレーム
２４    フット側伸縮フレーム
４０    ベッドパネル
４１    ヘッド側ベッドパネル（伸縮ベッドパネル）
４１ｂ  ガイド部
４２    ヘッド側ベッドパネル（固定ベッドパネル）
４２ｂ  膨出部
【図１】
2009201889.tif 000003
【図２】
2009201889.tif 000004
【図３】
2009201889.tif 000005
【図４】
2009201889.tif 000006
【図５】
2009201889.tif 000007
【図６】
2009201889.tif 000008
【図７】
2009201889.tif 000009
【図８】
2009201889.tif 000010
【図９】
2009201889.tif 000011
【図１０】
2009201889.tif 000012
【図１１】
2009201889.tif 000013
【図１２】
2009201889.tif 000014